(57)【特許請求の範囲】
【請求項１】
集中管理装置と、
前記集中管理装置にローカルエリアネットワークを介して接続されて当該集中管理装置との間でデータが送受信される複数の空調機と、
前記空調機を前記集中管理装置に対して個別に接続した状態に切り換える手段と、
を備え、
前記集中管理装置は、
各種の制御を行う第１のプロセッサと、
前記第１のプロセッサが、前記空調機を前記集中管理装置に対して個別に接続した状態に切り換えられた状態で、前記空調機ごとに固有のＩＤ番号である固有ＩＤ番号を含み当該固有ＩＤ番号の設定を前記空調機に行わせるメンテナンス用データに複数の前記空調機に共通のＩＤ番号であるメンテナンス用ＩＤ番号を付加して送信する手段と、
を備え、
前記空調機は、
各種の制御を行う第２のプロセッサと、
メンテナンス用ＩＤ番号が記憶された記憶領域と、
前記第２のプロセッサが、前記集中管理装置から送信され、前記記憶領域に記憶されたメンテナンス用ＩＤ番号と一致するメンテナンス用ＩＤ番号が付加されたメンテナンス用データを受信する手段と、
前記第２のプロセッサが、メンテナンス用データに含まれる固有ＩＤ番号を前記記憶領域に記憶させる手段と、
を備える、
空調機集中管理システム。
【請求項２】
前記記憶領域には、複数の前記空調機に共通のＩＤ番号である緊急用ＩＤ番号がさらに記憶され、
前記集中管理装置は、
前記第１のプロセッサが、前記空調機の運転を停止させる緊急用データに緊急用ＩＤ番号を付加して送信する手段を備え、
前記空調機は、
前記第２のプロセッサが、前記集中管理装置から送信され、前記記憶領域に記憶された緊急用ＩＤ番号と一致する緊急用ＩＤ番号が付加された緊急用データを受信する手段と、
前記第２のプロセッサが、前記空調機の運転を停止させる手段と、
を備える、
請求項１記載の空調機集中管理システム。
【請求項３】
前記記憶領域は、データを書き換え可能に記憶する不揮発性メモリである、請求項１又は２記載の空調機集中管理システム。
【発明の詳細な説明】
【０００１】
【発明の属する技術分野】
本発明は、集中管理装置に対して複数個の空調機が接続された空調管理システムの一部を構成する空調機に関する。
【０００２】
【従来の技術】
従来、１つの室内に複数個の空調機を設置し、それらの空調機をローカルエリアネットワークで１つの集中管理装置に接続した空調管理システムが種々提案されている。
【０００３】
そのような空調管理システムでは、各空調機には個々を識別するための固有ＩＤ番号が設定され、集中管理装置から送信されるデータにはそのデータの送信先となる空調機の固有ＩＤ番号が付加され、そのデータに付加された固有ＩＤ番号と一致する固有ＩＤ番号が設定された空調機との間でポーリング／セレクティング方式によりデータを送受信する形式のものが多い。
【０００４】
なお、各空調機における固有ＩＤ番号の設定は、空調機の製造段階や出荷段階において、各空調機に設けられている外部スイッチ等の切り換えによって行うことが一般的である。
【０００５】
【発明が解決しようとする課題】
空調機のトラブル発生時等に全ての空調機を緊急に運転停止させる場合、従来のように固有ＩＤ番号が設定された空調機に対してその固有ＩＤ番号を付加した運転停止用データ（緊急用データ）を送信する形式であると、或る１台の空調機にその空調機の固有ＩＤ番号を付加した運転停止用データを送信してその空調機を運転停止し、その空調機が運転停止された後に付加する固有ＩＤ番号を変更した運転停止用データを次の空調機に対して送信してその空調機の運転を停止させるということを繰り返す。このため、全ての空調機を運転停止するまでに時間がかかり、緊急時の対応が遅れるという問題がある。
【０００６】
また、各空調機に対する固有ＩＤ番号の設定を各空調機の製造段階又は出荷段階で行う場合には、それらの空調機を設置する側との間で、何番から何番までの固有ＩＤ番号を設定した空調機を出荷すればよいのかというような連絡を密にしなければならず、煩雑である。
【０００７】
本発明の目的は、集中管理装置に接続された複数の空調機に対して緊急を要する緊急用データを送信する場合、それらの空調機に対してその緊急用データを一斉に送信することができ、緊急時の対応を速やかに行うことができる空調機を提供することである。
【０００８】
本発明の別の目的は、集中管理装置に各空調機が個別に接続されたとき、それらの個々の空調機へのメンテナンス用データの送信を、個々の空調機の固有ＩＤ番号に頼らずに送信することができる空調機を提供することを目的とする。
【０００９】
本発明の別の目的は、各空調機におけるＩＤ番号を設定するための構造を簡単化することである。
【００１０】
【課題を解決するための手段】
請求項１記載の空調機集中管理システムは、集中管理装置と、前記集中管理装置にローカルエリアネットワークを介して接続されて当該集中管理装置との間でデータが送受信される複数の空調機と、前記空調機を前記集中管理装置に対して個別に接続した状態に切り換える手段と、を備え、前記集中管理装置は、各種の制御を行う第１のプロセッサと、前記第１のプロセッサが、前記空調機を前記集中管理装置に対して個別に接続した状態に切り換えられた状態で、前記空調機ごとに固有のＩＤ番号である固有ＩＤ番号を含み当該固有ＩＤ番号の設定を前記空調機に行わせるメンテナンス用データに複数の前記空調機に共通のＩＤ番号であるメンテナンス用ＩＤ番号を付加して送信する手段と、を備え、前記空調機は、各種の制御を行う第２のプロセッサと、メンテナンス用ＩＤ番号が記憶された記憶領域と、前記第２のプロセッサが、前記集中管理装置から送信され、前記記憶領域に記憶されたメンテナンス用ＩＤ番号と一致するメンテナンス用ＩＤ番号が付加されたメンテナンス用データを受信する手段と、前記第２のプロセッサが、メンテナンス用データに含まれる固有ＩＤ番号を前記記憶領域に記憶させる手段と、を備える。
【００１１】
したがって、空調機に固有ＩＤ番号が設定されていない場合にも、その空調機を集中管理装置に対して個別に接続された状態にしたうえで、集中管理装置からその空調機に対してメンテナンス用データを送信することができ、メンテナンス用データを受信した空調機は、そのメンテナンス用データに含まれた固有ＩＤ番号を記憶領域に記憶させることができる。
【００１２】
請求項２記載の空調機集中管理システムは、請求項１記載の空調機集中管理システムにおいて、前記記憶領域には、複数の前記空調機に共通のＩＤ番号である緊急用ＩＤ番号がさらに記憶され、前記集中管理装置は、前記第１のプロセッサが、前記空調機の運転を停止させる緊急用データに緊急用ＩＤ番号を付加して送信する手段を備え、前記空調機は、前記第２のプロセッサが、前記集中管理装置から送信され、前記記憶領域に記憶された緊急用ＩＤ番号と一致する緊急用ＩＤ番号が付加された緊急用データを受信する手段と、前記第２のプロセッサが、前記空調機の運転を停止させる手段と、を備える。
【００１３】
したがって、集中管理装置に接続された全ての空調機に対して緊急を要する緊急用データを送信する場合には、その緊急用データに緊急用ＩＤ番号を付加することにより、その緊急用データが全ての空調機に対して一斉に送信されるので、緊急時における全ての空調機に対する緊急用データの送信を速やかに行える。
【００１４】
請求項３記載の空調機集中管理システムは、請求項１又は２記載の空調機集中管理システムにおいて、前記記憶領域は、データを書き換え可能に記憶する不揮発性メモリである。
【００１７】
したがって、各空調機に対してＩＤ番号設定用の外部スイッチを設ける必要がなくなり、各空調機の構造が簡単になる。特に、各空調機に対して２以上のＩＤ番号を設定する場合には、各空調機の構造を簡単化するという効果が高くなる。
【００１８】
【発明の実施の形態】
本発明の一実施の形態を図面に基づいて説明する。図１は、空調機集中管理システムを示すブロック図である。この空調機集中管理システムが適用される室内である工場内には、複数個（例えば、１５個）の空調機１が設置されている。各空調機１は、それぞれ温風や冷風の吹き出し等が行われる空調機本体２と、各空調機１のオン・オフの温度設定や後述する集中管理装置との間でポーリング／セレクティング方式によりデータの送受信が行われる空調機制御部３とからなり、これらの空調機１が集中管理装置であるパーソナルコンピュータ（以下、ＰＣと略す）４にローカルエリアネットワークを介して接続されている。ＰＣ４は工場内の或る一箇所に設置されている。
【００１９】
また、工場内には複数個（例えば、３個）の温度センサ５が設置されている。各温度センサ５は、温度の測定を行う温度センサ本体６と、測定した温度の値をＡ／Ｄ変換等する温度監視制御部７とからなり、各温度センサ５にはＡ／Ｄ変換された温度データを集中管理装置４へ送信するための無線機８が接続されている。集中管理装置４には、無線機８から送信された温度データを受信するための無線機９が接続されている。
【００２０】
図２は、ＰＣ４の構成を示すブロック図である。このＰＣ４は、制御プログラムに応じて各種の制御を行うＣＰＵ１０を有し、このＣＰＵ１０に対し、制御プログラム等の固定データが格納されたＲＯＭ１１、温度センサ５から送信された温度データや空調機１から送信された各空調機１の運転状態のデータ等の可変データが記憶されるＲＡＭ１２、可変データのうち継続して記憶しておく必要がある各種のデータや各空調機１に設定されているＩＤ番号（後述する固有ＩＤ番号、緊急用ＩＤ番号、メンテナンス用ＩＤ番号）等を記憶するＥＥＰＲＯＭ１３、温度データや運転状態のデータやコマンドデータ等の各種のデータが入出力されるＩ／Ｏ１４、空調機１から送信された各空調機１の運転状態が表示される表示部１５、このＰＣ４からの操作によりオン・オフさせる空調機１を選択するマウス１６等が接続されている。
【００２１】
また、このＰＣ４には、制御プログラムに基づいてＣＰＵ１０が実行する機能として、表示手段、選択手段、オン・オフ制御手段、配信決定手段が設けられている。表示手段は、各空調機１から送信された各空調機１の運転状態の内容を表示部１５に表示させる機能である。選択手段は、ＰＣ４からの操作によりオン・オフさせようとするいずれかの空調機１をマウス１６の操作入力に基づいて選択する機能である。オン・オフ制御手段は、マウス１６の操作入力により選択された空調機１をオン・オフさせる機能である。配信決定手段は、或る温度センサ５で検出された温度データをどの空調機１に配信するかを決定する機能である。
【００２２】
図３は、空調機制御部３の構成を示すブロック図である。この空調機制御部３は、制御プログラムに応じて各種の制御を行うＣＰＵ１７を有し、このＣＰＵ１７に対し、制御プログラム等の固定データが格納されたＲＯＭ１８、空調機１の運転状態のデータや空調機１をオン・オフさせる設定温度や、ＰＣ４から配信された温度センサ５からの温度データ等の可変データが記憶されるＲＡＭ１９、可変データのうち継続して記憶しておく必要があるデータ、例えば、空調機１の通算の運転時間、各空調機１に固有に設定されている固有ＩＤ番号、全ての空調機１に共通に設定されている緊急用ＩＤ番号、全ての空調機１に共通に設定されているメンテナンス用ＩＤ番号などを記憶する不揮発性メモリであるＥＥＰＲＯＭ２０、空調機本体２やＰＣ４との間で各種のデータが入出力されるＩ／Ｏ２１、空調機１をオン・オフさせる温度を設定する設定部２２等が接続されている。
【００２３】
各空調機１に設定された固有ＩＤ番号はその空調機１を特定するため識別子であり、図１に示すようにＰＣ４に複数の空調機１が接続された状態において、ＰＣ４から或る特定の空調機１に対して温度データやその他のデータ等が送信される場合には、そのデータに送信先となる空調機１の固有ＩＤ番号が付加される。これにより、そのデータは付加された固有ＩＤ番号と一致する固有ＩＤ番号が設定された空調機１において受信されることになる。
【００２４】
各空調機１に設定された緊急用ＩＤ番号は、全ての空調機１において共通のＩＤ番号であり、図１に示すようにＰＣ４に複数の空調機１が接続された状態において、空調機１のトラブル発生時に全ての空調機１を緊急に運転停止させる場合等には、ＰＣ４から送信される運転停止用データに緊急用ＩＤ番号が付加される。これにより、この運転停止用データが全ての空調機１に対して一斉に送信され、全ての空調機１が速やかに運転停止される。
【００２５】
各空調機１に設定されたメンテナンス用ＩＤ番号は、全ての空調機１において共通のＩＤ番号である。このメンテナンス用ＩＤ番号は、ＰＣ４に対して各空調機１を個別に接続した状態に切り換え、各空調機１に対してメンテナンス用データを送信する場合に使用されるもので、ＰＣ４に個別に接続した空調機１の固有ＩＤ番号がわからない状態であっても、メンテナンス用データにメンテナンス用ＩＤ番号を付加することにより、そのメンテナンス用データを個々の空調機１に対して送信することができる。これにより、個々の空調機１の固有ＩＤ番号を調べたりすることなく個々の空調機１に対してメンテナンス用データの送信を行えるので、各空調機１に対するメンテナンス用データの送信作業を円滑に行える。ここでいうメンテナンスとしては、各空調機１における各種の設定や、各空調機１に対する固有ＩＤ番号の設定等がある。
【００２６】
図４は、温度監視制御部７の構成を示すブロック図である。この温度監視制御部７は制御プログラムに応じて各種の制御を行うＣＰＵ２３を有し、このＣＰＵ２３に対し、制御プログラム等の固定データが格納されたＲＯＭ２４、温度センサ本体６で検出された後にＡ／Ｄ変換された温度データ等の可変データが記憶されるＲＡＭ２５、通信設定等の継続的に記憶しておく必要がある各種のデータを記憶するＥＥＰＲＯＭ２６、温度センサ本体６と無線機８とに間で温度データが入出力されるＩ／Ｏ２７等が接続されている。
【００２７】
このような構成において、この空調機集中管理システムでは、１５個の空調機１が工場内の空調場所として適当な場所に設置され、３個の温度センサ５が工場内の温度測定場所として適当な場所に設置されている。そして、各空調機１がオン・オフされる温度が各空調機１の空調機制御部３において設定され、さらに、いずれの温度センサ５で検出された温度データをどの空調機１に配信するかがＰＣ４で設定され、その後に空調機１の運転が開始される。
【００２８】
空調機１の運転が開始されると、温度センサ５で検出された温度データは無線機８，９を介してＰＣ４に送信され、送信された温度データはいずれかの空調機１に配信され、その配信された温度と各空調機１で設定されたオン・オフの設定温度とが比較され、その比較結果に応じて各空調機１がオン・オフされる。
【００２９】
ＰＣ４と各空調機１との間でのデータの送受信において、ＰＣ４から送信されるデータには固有ＩＤ番号、緊急用ＩＤ番号、メンテナンス用ＩＤ番号のいずれかのＩＤ番号が付加される。
【００３０】
図５は、ＰＣ４から送信されたデータを空調機１で受信した場合の空調機１での処理動作について説明するフローチャートである。ＰＣ４から送信されたデータを受信したか否かが判断され（ステップＳ１）、受信した場合には（ステップＳ１のＹ）、そのデータに付加されているＩＤ番号が緊急用ＩＤ番号であるか否か（ステップＳ２）、メンテナンス用ＩＤ番号であるか否か（ステップＳ３）、固有ＩＤ番号であるか否か（ステップＳ４）が判断される。
【００３１】
受信したデータに付加されたＩＤ番号が緊急用ＩＤ番号である場合には（ステップＳ２のＹ）、そのデータに応じた緊急対応処理、例えば、空調機１の緊急停止等が行われる（ステップＳ５）。なお、緊急用ＩＤ番号が付加されたデータは全ての空調機１に対して一斉に送信されているので、全ての空調機１において緊急対応処理（ステップＳ５）が行われる。
【００３２】
受信したデータに付加されたＩＤ番号がメンテナンス用ＩＤ番号である場合には（ステップＳ３のＹ）、そのデータに応じたメンテナンス処理、例えば、各空調機１に対する固有ＩＤ番号の設定等が行われる（ステップＳ６）。なお、受信したデータにメンテナンス用ＩＤ番号が付加されている場合には、そのデータは各空調機１に対して逐次送信されるものであり、各空調機１ごとにメンテナンス処理が逐次行われる。
【００３３】
ここで、各空調機１のメンテナンス処理として各空調機１に対する固有ＩＤ番号の設定を行えるので、各空調機１の製造段階や出荷段階でその空調機１に対して固有ＩＤ番号を設定する必要がなくなり、各空調機１に対しては製造段階又は出荷段階では緊急用ＩＤ番号とメンテナンス用ＩＤ番号とを設定しておけばよい。これにより、製造段階や出荷段階で個々の空調機１に対して固有ＩＤ番号を設定する手間を省くことができる。
【００３４】
また、本実施の形態では、各空調機１で設定した固有ＩＤ番号、緊急用ＩＤ番号、メンテナンス用ＩＤ番号をＥＥＰＲＯＭ２０に記憶させているため、従来例で説明したようにＩＤ番号を設定するための外部スイッチを各空調機１に設ける必要がなくなり、かつ、その外部スイッチに関する配線構造が不要となるため、空調機１の構造が簡単化される。特に、本実施の形態のように３種類のＩＤ番号を設定する場合には、外部スイッチで設定する方式であると３組の外部スイッチが必要となり、その外部スイッチに関する配線構造などを含めて空調機の構造が非常に複雑になる。
【００３５】
【発明の効果】
請求項１記載の発明の空調機集中管理システムによれば、空調機に固有ＩＤ番号が設定されていない場合にも、その空調機を集中管理装置に対して個別に接続された状態にしたうえで、集中管理装置からその空調機に対してメンテナンス用データを送信することができ、メンテナンス用データを受信した空調機は、そのメンテナンス用データに含まれた固有ＩＤ番号を記憶領域に記憶させることができる。
【００３６】
請求項２記載の発明の空調機集中管理システムによれば、集中管理装置に接続された全ての空調機に対して緊急を要する緊急用データを送信する場合には、その緊急用データに緊急用ＩＤ番号を付加することにより、その緊急用データが全ての空調機に対して一斉に送信されるので、緊急時における全ての空調機に対する緊急用データの送信を速やかに行える。
【００３８】
請求項３記載の発明によれば、請求項１又は２記載の空調機集中管理システムにおいて、記憶領域として不揮発性メモリを有するので、各空調機にＩＤ番号設定用の外部スイッチを設ける必要をなくして各空調機の構造の簡単化を図ることができ、特に、各空調機に２以上のＩＤ番号を設定する場合においてはその構造を簡単化する効果を高めることができる。
【図面の簡単な説明】
【図１】本発明の一実施の形態の空調機集中管理システムを示すブロック図である。
【図２】ＰＣの構成を示すブロック図である。
【図３】空調機制御装置の構成を示すブロック図である。
【図４】温度監視制御装置の構成を示すブロック図である。
【図５】ＰＣから送信されるデータを空調機で受信した場合の空調機での処理動作について説明するフローチャートである
【符号の説明】
１      空調機
４      集中管理装置
２０      不揮発性メモリ
【図１】
0004041278.tif 000002
【図２】
0004041278.tif 000003
【図３】
0004041278.tif 000004
【図４】
0004041278.tif 000005
【図５】
0004041278.tif 000006